(57)【要約】      （修正有）【課題】パテへらを使用する作業者の手指、特に薬指に障害が生じるおそれを低減し、良好な作業を可能とするパテへらを提供する。【解決手段】パテブレード体１１０は、先端に塗布面に当接させるパテへら縁１１１と後端に取り付け部１１２を備えている。取り付け部１１２はホルダー体１２０に鋲１２４で取り付けられている。グリップ部１２３は使用者が握る部分となるが、グリップ部１２３の一方の側縁の一部には凹部１３０が設けられている。使用者がグリップ部１２３を握り締めた姿勢において、凹部１３０の位置が使用者の薬指が嵌まる位置にくるよう調整されている。小指は凸部１４０に掛かるよう調整されている。凹部１３０と凸部１４０の関係によりグリップ部１２３を親指と小指で把持した状態で薬指の位置が小指の位置よりグリップ部１２３の側縁内側に収まるよう調整される。【選択図】図１
0003188764.tif 000002
【実用新案登録請求の範囲】
【請求項１】
塗布面にパテを塗布するパテへらであって、先端に前記塗布面に当接させるパテへら縁を持つパテブレード体と、前記パテブレード体の後部を支持するとともに使用者が握るグリップ部を提供するホルダー体と、前記グリップ部の一方の側縁の一部に設けた凹部を備え、
前記使用者が前記グリップ部を握り締めた姿勢において、前記凹部の位置が前記使用者の薬指が嵌まる位置にくるよう調整され、前記グリップ部を前記親指と前記薬指と前記小指で把持した状態で前記薬指の位置が前記小指の位置より前記グリップ部の側縁内側に収まるよう調整されたものであることを特徴とするパテへら。
【請求項２】
前記グリップ部において、前記凹部よりも幅広とした凸部を備え、
前記使用者が前記グリップ部を握り締めた姿勢において、前記凸部の位置が前記小指で把持しやすい位置に調整され、前記小指の位置が前記薬指の位置より前記グリップ部の側縁外側に位置するものであることを特徴とする請求項１に記載のパテへら。
【請求項３】
前記パテブレード体と前記ホルダー体との接合面において、前記ホルダー体の先端付近に前記パテブレード体方向に向けて傾斜したテーパーを設け、前記使用者の指に沿いやすくした請求項１または２に記載のパテへら。
【請求項４】
前記グリップ部の前面および裏面に肉厚の盛り上げ構造体を設け、前記盛り上げ構造体を掌に収まりやすいパームレストとした請求項１乃至３のいずれかに記載のパテへら。
【請求項５】
前記盛り上げ構造体をゴム素材で形成し、滑り止めとして兼用せしめた請求項４に記載のパテへら。
【請求項６】
前記グリップ部の中心軸を前記パテブレード体の中心軸に対して、右利き用は反時計回り、左利き用は時計回りの方向に傾いて取り付けておくことを特徴とする請求項１乃至５のいずれかに記載のパテへら。
【考案の詳細な説明】
【技術分野】
【０００１】
本考案は、建築物の接合部に生じた隙間の密封や壁面に生じた段差の解消や、建築施工過程で生じた壁面の凹凸の平坦化を行うパテ塗布に用いるパテへらに関するものである。
【背景技術】
【０００２】
建築物の接合部に生じた隙間の密封や壁面に生じた段差の解消や建築施工過程で生じた壁面の凹凸の平坦化には、パテを塗布しこれを均すパテ付けが一般的に行われている。従来技術において、このパテ付け作業は、図６（ａ）に示すようなパテへら１０を使って施工している。
パテへら１０は、パテブレード１１、ホルダー１２、グリップ１３を備えた構造となっている。
一般には、図６（ｂ）に示すような掴み方によってグリップ１３を握り、均し面に正対するようにパテブレード１１を当接させ、擦るように均してゆく。
【０００３】
従来のパテへらに対する改良も試みられている。
例えば、図７（ａ）に示す実開昭６３−１２２５３３号公報のパテへらは、硬質層のブレードと樹脂などの軟質層のブレードの２つのブレードを接着層を介して接着したものである。軟質層のブレード側が均し面に当接する面である。接着層を介して両者が前後に摺動可能に取り付けられており、均し面に当接する角度などに応じて軟質層のブレードが変形するため、図７（ｂ）に示すように、均し面の角度や状態に沿うことができるパテへらとしたものである。なお、開示はパテへらのプレート部分のみであり、実際のホルダーがどのようなものであるかは開示されていない。
【０００４】
図８（ａ）および図８（ｂ）に示す実開平１−６９６８４号公報には、パテへらを円弧状にカーブ湾曲させた形状に変形させたもので、パテへらを均し面に当接するように擦ると、カーブ湾曲させた掬い部分が適度に撓ることにより弾性力を発生させ、適度な圧により均し面を押圧しつつパテ塗りができるパテへらとしたものである。
なお、金属プレートであるパテへらを握りやすいように、グリップ１３の側縁を内側に折り曲げて丸める工夫が施されている。
【０００５】
【特許文献１】実開昭６３−１２２５３３号公報
【特許文献２】実開平１−６９６８４号公報
【考案の開示】
【考案が解決しようとする課題】
【０００６】
建築物のパテ塗りは機械化が難しく、現在でもパテへら１０を用いた手作業が中心である。パテ塗りする壁面の面積や桟の長さが大きい場合もあり、パテ塗り作業の高さも頭上から足元にまで及ぶことがある。そのため、作業者の手指や手首にかかる負担が大きくなる傾向にあった。
【０００７】
一般的なパテへら１０の持ち方は、パテへら１０の握り方に起因する。図６（ｂ）に示すように、パテへら１０をしっかりと支えて壁面や桟に当接させる押圧力を大きく得るため、人差し指と中指をいわゆるＶ字型にパテブレード１１に当てて支持し、親指と薬指と小指によりグリップ１３を掴むという持ち方をする。また、パテブレード１１に人差し指と中指により強く押圧するため、掌と手首を一直線に保ち、手首を固めて肘や肩を動かすことによりパテへら塗りを行うことが多い。
【０００８】
ここで、人間の手指の骨の構造から、掌と手首を一直線に保つと、薬指と小指は横側に並んでいるところ、それを多少無理してグリップ１３を握り締めるため、図６（ｂ）に示すように、薬指の腹とグリップ１３の側縁が当接し、薬指の腹に負荷が大きくかかる姿勢とならざるを得なかった。
長年、パテへら塗り作業をしている作業者によっては薬指の関節炎になったり、薬指の腹にタコを患ったりするケースが散見されていた。
【０００９】
上記した特許文献１のパテへらは、パテへらのブレード自体を多層化してパテへらのブレードの壁面に対する当接姿勢を壁面に沿いやすいようにした工夫であって、グリップの手指の関節炎やタコという障害を低減することに関してはまったく開示も示唆もされていない。
【００１０】
また、上記した特許文献２のパテへらは、パテへらのブレードを湾曲させることにより撓りが生じやすくすることにより、パテへらのブレードの壁面に対する当接押圧力を得るものであり、グリップに関してもブレード状のグリップの側縁を内側に角を丸めることにより手指に角が当たらないように工夫はされているものの、薬指の腹を強くグリップの側縁に当てる持ち方で強く握り締めると薬指に障害が生じるおそれがあることに変わりはない。
【００１１】
そこで、上記問題に鑑み、本考案は、パテへらのグリップの形状を工夫することにより、パテへらを使用する作業者の手指、特に薬指に障害が生じるおそれを低減し、良好な作業を可能とするパテへらを提供することを目的とする。
【課題を解決するための手段】
【００１２】
上記目的を達成するため、本考案のパテへらは、塗布面にパテを塗布するパテへらであって、先端に前記塗布面に当接させるパテへら縁を持つパテブレード体と、前記パテブレード体の後部を支持するとともに使用者が握るグリップ部を提供するホルダー体と、前記グリップ部の左右一方の側縁の一部に設けた凹部を備え、前記使用者が前記グリップ部を握り締めた姿勢において、前記凹部の位置が前記使用者の薬指が嵌まる位置にくるよう調整され、前記グリップ部を前記親指と前記小指で把持した状態で前記薬指の位置が前記小指の位置よりグリップ部の側縁内側に収まるよう調整されたパテへらである。
【００１３】
上記構成により、薬指がグリップの側縁に強く押圧されて薬指を痛めるおそれがなくなる。人間の手指の骨の構造は、いわゆるＶの字に人差し指と中指を前方に出し、掌と手首を一直線上に保つと薬指と小指も横向きに並んでしまうところ、従来のパテへらはグリップの側縁が直線状に延設されたものであったため、親指、薬指、小指の３本でグリップ部を把持することに無理があった。特に、親指と小指で把持すると薬指がグリップ部の側縁に強く押圧される持ち方となってしまう。この持ち方で長年パテへら塗り作業をしていると、薬指に負担が大きく、薬指の関節炎になったり、薬指の腹にタコを患ったりするケースが散見されていた。
一方、本考案のパテへらでは、薬指の位置が内側に調整されやすいようにグリップ部に凹部が設けられており、この凹部に薬指が入り込むので薬指がグリップ側縁に強く押圧されることがない。使用者は良好な把持状態を得ることができる。
なお、凹部を設けるグリップ部の側縁とは、右利き用のものはグリップ部の右側縁、左利き用のものはグリップ部の左側縁となる。
【００１４】
次に、上記パテへらにおいて、グリップ部に凹部よりも幅広とした凸部を備え、使用者がグリップ部を握り締めた姿勢において、凸部の位置が小指で把持しやすい位置に調整されるとともに、小指の位置が薬指の位置よりグリップ部の側縁外側に位置するものとすることが好ましい。
人間の手指の骨の構造から薬指と小指は横方向に並ぶので、小指は薬指とは逆にある程度外側に位置している方が良い。そこで、グリップ部を幅広にした凸部を設けることにより、親指と小指で把持しやすいようにしたものである。
なお、凸部を設けるグリップ部の側縁も、右利き用のものはグリップ部の右側縁、左利き用のものはグリップ部の左側縁となる。
【００１５】
次に、上記パテへらにおいて、人差し指と中指に関する工夫として、パテブレード体とホルダー体との接合面において、ホルダー体の先端付近にパテブレード体方向に向けて傾斜したテーパーを設けた構造とすることが好ましい。
上記構成により、使用者の人差し指や中指にホルダー体先端の角が指の腹などに当たることがなく、人差し指や中指の腹に沿いやすい構造となる。
【００１６】
次に、上記パテへらにおいて、グリップ部の前面および裏面に肉厚の盛り上げ構造体を設け、盛り上げ構造体を掌に収まりやすいパームレストとすることが好ましい。
人間の掌の構造から、５本の指でパテへらを握った場合には掌が平面ではなく、曲面を形成するところ、グリップ部の前面および裏面に肉厚の盛り上げ構造体があれば掌に沿いやすくなり、使用者がパテへらを握りやすくなる。
【００１７】
なお、盛り上げ構造体をゴム素材で形成すれば、掌が滑りにくくなり、盛り上げ構造体を滑り止めとして兼用することができる。
【００１８】
次に、上記パテへらにおいて、グリップ部の中心軸をパテブレード体の中心軸に対して、右利き用は反時計回り、左利き用は時計回りの方向に傾いて取り付けておくことが好ましい。
パテへらは使用者が肘を曲げ伸ばししながら使用するが、人間の手指の骨の構造からグリップ部の中心軸が若干小指側に傾いている方が長時間の作業には適しているためである。
【考案の効果】
【００１９】
本考案のパテへらによれば、薬指の位置が内側に調整されやすいようにグリップ部に凹部が設けられており、この凹部に薬指が入り込むので薬指がグリップ側縁に強く押圧されることがない。使用者は良好な把持状態を得ることができる。また、人間の手指の骨の構造から薬指と小指は横方向に並ぶので、小指は薬指とは逆にある程度外側に位置している方が良いところ、グリップ部を幅広にした凸部を設けることにより、親指と小指で把持しやすいものとなる。また、人間の掌の構造から、５本の指でパテへらを握った場合には掌が平面ではなく、曲面を形成するところ、グリップ部の前面および裏面に肉厚の盛り上げ構造体があれば掌に沿いやすくなり、使用者がパテへらを握りやすくなる。
【考案を実施するための最良の形態】
【００２０】
以下、図面を参照しつつ、本考案のパテへらの実施形態を説明する。ただし、本考案の技術的範囲は以下の実施形態に示した具体的な用途や形状・寸法などには限定されない。
【実施例１】
【００２１】
図１は本考案のパテへら１００の構成例を簡単に示す図である。
図１の構成例は、パテへら１００は、パテブレード体１１０と、ホルダー体１２０と、凹部１３０と、凸部１４０を備えた構成となっている。
なお、図１の正面図に見える面は、右利きの使用者が右手で握る面となっているが、左利きの使用者であれば左手で図１の背面側から握れば良い。
グリップ部にパームレストとなる盛り上げ構造体を設ける構成例は実施例２で述べる。
【００２２】
パテブレード体１１０は、塗布面にパテを塗布するパテへらの本体部分である。
先端には塗布面に当接させるパテへら縁１１１を備え、後部側にはホルダー体１２０が保持する箇所となる取り付け部１１２を備えている。
図１の例では、パテブレード体１１０の形状は先端のパテへら縁１１１がもっとも幅広になっており、略矩形であるが後端に向かうにつれ若干内側へ絞られたような形状となっている。なお、正面からはパテブレード体１１０のうちホルダー体１２０の内部に入り込んだ部分は見えないが、ホルダー体１２０の外形に収まるものであれば良い。
【００２３】
パテブレード体１１０の素材は、丈夫な金属素材であれば良いが、例えば、ステンレス鋼とする。厚さは特に限定されないが、厚過ぎると十分に撓ることができないため、適度に撓って弾力性を発揮できる程度の厚みのものが好ましい。
パテへら縁１１１は用途やパテ塗布面の状態によるが一般的には直線状のもので良い。
【００２４】
取り付け部１１２はホルダー体１２０の先端部分で挟持され、さらに複数の鋲によってしっかりとホルダー体１２０に対して取り付けられている。
【００２５】
次に、ホルダー体１２０を説明する。
ホルダー体１２０は、パテブレード体１１０の後部を支持するとともに使用者のグリップ部分を提供する部分である。この構成例では図１に示すような形状をしている。
ホルダー体１２０は、先端のテーパー部１２１、絞り部１２２、グリップ部１２３、鋲１２４を備えているが、グリップ部１２３は後述する凹部１３０、凸部１４０と一体となっている。
ホルダー体１２０の素材は、木、ゴム、樹脂、金属など特に限定されないが、この構成例では木とする。表面に防水コーティングなどを施しておくことも好ましい。
【００２６】
次に、ホルダー体１２０の先端付近のテーパー部１２１について述べる。
ホルダー体１２０の先端付近は、パテブレード体１１０との接合面となるが、この構成例では、ホルダー体１２０の先端付近にはパテブレード体１１０方向に向けて傾斜したテーパー１２１が設けられている。図１の側面図に示すように、ホルダー体１２０の先端付近にはパテブレード体１１０との接合面の幅全体にわたり、テーパー１２１が設けられており、使用者の指に沿いやすくなっている。
テーパー１２１があれば無理なく指を添えることができるが、テーパー１２１がなく角になっておれば、指が角に当接して長時間使用すれば指先に負担が掛かることが分かる。
【００２７】
次に、絞り部１２２は、先端のパテブレード体１１０に相当する幅からグリップ部１２３の幅に至るまで絞る部分である。使用者に違和感のないように角が出ないよう直線と曲線の組み合わせで形成することが好ましい。
【００２８】
次に、グリップ部１２３を説明する。
この構成例では、ホルダー体１２０のグリップ部１２３の中心軸がパテブレード体１１０の中心軸に対して、右利き用は反時計回り、左利き用は時計回りの方向に傾いて取り付けておくことが好ましい。図１の正面図に見える面は、右利きの使用者が右手で握る面となっており、ホルダー体１２０の傾きは反時計回りに傾いている。
【００２９】
図２は、ホルダー体１２０のグリップ部１２３の中心軸Ｂがパテブレード体１１０の中心軸Ａに対して傾いている様子を示す図である。図２に示すように、ホルダー体１２０のグリップ部１２３の中心軸Ｂは、パテブレード体１１０の中心軸Ａに対して反時計回りに傾いていることが分かる。ただしこの方向の表現は図１の正面方向に対する表現であり、裏面方向から見た場合には反対となる。そこで、グリップ部の中心軸Ｂをパテブレード体の中心軸Ａに対して、右利き用は反時計回り、左利き用は時計回りの方向に傾いて取り付けておくこととなる。
図２に示すようにホルダー体１２０のグリップ部１２３の中心軸Ｂを傾かせておく理由は、パテへらは使用者が肘を曲げ伸ばししながら使用するが、パテへら縁１１１でのパテ塗布作業を使用者の目前にて行う、つまり顔の前で作業するには、右手を顔前に差し出すと掌と手首が若干反時計回りに傾くこととなる。そのラインに沿ってホルダー体１２０のグリップ部１２３を設けるためには、ホルダー体１２０のグリップ部１２３の中心軸がパテブレード体１１０の中心軸に対して傾いた形で延設させる必要があるからである。このようにパテへら１００において、グリップ部１２３の中心軸Ｂをパテブレード体１１０の中心軸Ａに対して、右利き用は反時計回り、左利き用は時計回りの方向に傾いて取り付けておく方が長時間の作業には適している。
【００３０】
次に、グリップ部１２３の厚みであるが、この構成例では一様の板状のものとなっている。板の厚みは限定されないが、例えば５ｍｍから２０ｍｍ程度の範囲で製作することができる。ここにパームレストとなる盛り上げ構造１６０を設ける例は実施例２において述べる。
なお、ホルダー体１２０には本考案のパテへらを柱などの収納箇所に引っ掛けるための孔１５０を設ける構成も可能である。
【００３１】
次に、グリップ部１２３に設けた凹部１３０、凸部１４０について説明する。
凹部１３０は、グリップ部１２３の一方の側縁の一部に設けられたものであり、使用者がグリップ部１２３を握り締めた姿勢において、凹部１３０の位置が使用者の薬指が嵌まる位置にくるよう調整されている。
なお、凹部１３０を設けるグリップ部１２３の側縁とは、右利き用のものはグリップ部の右側縁、左利き用のものはグリップ部の左側縁となる。実際には裏表の違いに過ぎず、図１の正面図において凹部１３０は右側に設けられており、右利きの使用者はそのまま上から握れば良い。パテへら１００を図１の背面方向からみれば凹部１３０は左側に設けられており、左利きの使用者は裏返して図１の背面方向を表にしてから握れば良い。
【００３２】
一方、凸部１４０は、凹部１３０よりも幅広とした部分である。
なお、凸部１４０を設けるグリップ部の側縁も、右利き用のものはグリップ部の右側縁、左利き用のものはグリップ部の左側縁となる。
図３は本考案のパテへら１００の場合の凹部１３０と凸部１４０の構造を分かりやすいように示した図である。一方、図４は従来のグリップの側縁外形を示している。
【００３３】
図４に示すように、従来のグリップは、把持部の側縁が一直線で、把持部の幅は一様であり、特に凹凸が見られないものである。つまり、図４で凹部１３０が設けられている箇所に相当する箇所の幅から、グリップ部１２３の後段側である凸部１４０の幅まで略同一になっている。
【００３４】
図４に示すように、グリップ部の側縁が一直線である場合に薬指と小指で把持すると薬指と小指が縦方向に並ぶこととなる。この図４の状態に薬指と小指が縦に並ぶと手指の骨の構造上無理が生じ、長時間の使用により指関節を痛めるおそれがある。
【００３５】
一方、図３に示すように、本考案のパテへら１００の場合、凹部１３０の幅は明らかに凸部１４０の幅よりも狭くなっている。このようにグリップ部１２３の側縁に凹凸がついている。
【００３６】
図３には、使用者が本考案のパテへら１００のホルダー体１２０を握った姿勢における薬指と小指の位置が簡単に示されている。指は簡単な断面で示している。図３に示すように、薬指が凹部１３０に嵌り、小指が凸部１４０に掛かれば、使用者がホルダー体１２０を親指と小指で把持した状態において、薬指の位置が小指の位置よりグリップ部の側縁内側に収まるよう調整され、かつ、小指の位置が薬指の位置よりグリップ部１２３の側縁外側に位置するように調整される。人間の手指の骨の構造は、いわゆるＶの字に人差し指と中指を前方に出し、掌と手首を一直線上に保つと、薬指と小指が横向きに並ぶが、図３の状態に薬指と小指が横に並ぶと手指の骨の構造上無理がない。
【実施例２】
【００３７】
実施例２は、ホルダー体１２０の前面および裏面に肉厚の盛り上げ構造体１６０を設け、盛り上げ構造体１６０を掌に収まりやすいパームレストとした構成例である。
【００３８】
図５は、実施例２のパテへら１００ａを簡単に示した図である。
図５に示した構成は、図１に示した構成と同様の構成であるが、グリップ部１２３の前面および裏面に肉厚の盛り上げ構造体１６０が設けられている点が異なっている。
【００３９】
盛り上げ構造体１６０はその横断面において緩やかな山型をしている。人間の掌の構造から、５本の指でパテへらを握った場合には掌が丸まって曲面を形成するが、グリップ部１２３の表面に肉厚の盛り上げ構造体１６０があれば掌に沿いやすくなり、使用者がパテへらを握りやすくなる。
【００４０】
盛り上げ構造体１６０の素材としては特に限定されないが、例えばゴム素材で形成されたものとなっている。ゴム素材であれば、掌に収まると滑り止めとなる。
盛り上げ構造体１６０は、掌に沿う面、つまり、正面側に設けられていれば良いが、裏面側にも設けることができる。この図５の構成では裏面側にも盛り上げ構造体１６０が設けられた構造となっている。
【００４１】
裏面側の盛り上げ構造体１６０を設けておけば、使用者が握り締めた姿勢において、親指の腹や薬指の腹や小指の腹が当接するが、この構成例では、特に、盛り上げ構造体１６０の表面にさらに凹凸状の滑り止め部１６１が設けられた構成例となっており、滑り止め部１６１によって親指の腹や薬指の腹や小指の腹に対する滑り止めとなり、グリップ部１２３がさらに握りやすくかつ滑りにくくなっている。
【００４２】
以上、本考案のパテへらの実施例を説明したが、薬指の位置が内側に調整されやすいようにグリップ部に凹部が設けられており、この凹部に薬指が入り込むので薬指がグリップ側縁に強く押圧されることがない。使用者は良好な把持状態を得ることができる。また、人間の手指の骨の構造から薬指と小指は横方向に並ぶので、小指は薬指とは逆にある程度外側に位置している方が良いところ、グリップ部１２３を幅広にした凸部を設けることにより、親指と小指で把持しやすいものとなる。
【００４３】
本考案のパテへらの構成において、本考案の技術的範囲を逸脱することなく種々の変更が可能であることは理解されるであろう。
【産業上の利用可能性】
【００４４】
本考案は、建築物の接合部に生じた隙間の密封や壁面に生じた段差の解消や、建築施工過程で生じた壁面の凹凸の平坦化を行うパテ塗布に用いるパテへらとして広く適用することができる。
【図面の簡単な説明】
【００４５】
【図１】本考案のパテへら１００の構成例を簡単に示す図である。
【図２】“ホルダー体１２０のグリップ部１２３の中心軸Ｂと水平軸が交わる角度が、使用者の小指側に鋭角となる方向に傾いている様子を示す図である。
【図３】本考案のパテへら１００において、使用者がグリップ部１２３を握り締めた姿勢において薬指および小指が凹部１３０、凸部１４０に当接している状態を示す図である。
【図４】従来のパテへらにおいて、使用者がグリップ部を握り締めた姿勢において薬指および小指がグリップ部の直線状の側縁に当接している状態を示す図である。
【図５】実施例２のパテへら１００ａを簡単に示した図である。
【図６】従来のパテへらの構造を示す図である。
【図７】実開昭６３−１２２５３３号公報に開示された従来技術のパテへらを示す図である。
【図８】実開平１−６９６８４号公報に開示された従来技術のパテへらを示す図である。
【符号の説明】
【００４６】
１００  パテへら
１１０  パテブレード体
１１１  パテへら縁
１１２  取り付け部
１２０  ホルダー体
１２１  テーパー部
１２２  絞り部
１２３  グリップ部
１３０  凹部
１４０  凸部
１５０  孔
１６０  盛り上げ構造
１６１  滑り止め部
【図１】
0003188764.tif 000003
【図２】
0003188764.tif 000004
【図３】
0003188764.tif 000005
【図４】
0003188764.tif 000006
【図５】
0003188764.tif 000007
【図６】
0003188764.tif 000008
【図７】
0003188764.tif 000009
【図８】
0003188764.tif 000010